(57)【要約】【課題】  表示領域を拡大させ多くの表示を行う。【解決手段】  前面パネル部１１と後面パネル部１２の間に追加パネル部１３，１４を開閉可能に配置し、前面パネル部１１の機器前面部１５の裏側、追加パネル部１３、１４の両面、後面パネル部１２の機器後面部１６の裏側に、それぞれ、機器前面部１５に配置された基本画面表示部より表示サイズの大きい追加画面表示部２１〜２６を配置し、各追加画面表示部２１〜２６に各追加画面表示部２１〜２６の開閉状態を検出するための画面開閉センサ３２を備える。【選択図】        図１
2005115554.tif 000002
【特許請求の範囲】
【請求項１】
基本画面表示部や操作ボタンが配置されている機器前面部を有し開閉可能に構成した前面パネル部と、
機器後面部を有する後面パネル部と、
上記前面パネル部と上記後面パネル部の間に配置され開閉可能に構成した追加パネル部と、
上記前面パネル部の機器前面部の裏側に配置され上記基本画面表示部より表示サイズの大きい第１の追加画面表示部と、
上記追加パネル部の一方の面に配置され上記基本画面表示部より表示サイズの大きい第２の追加画面表示部と、
上記追加パネル部の他方の面に配置され上記基本画面表示部より表示サイズの大きい第３の追加画面表示部と、
上記後面パネル部の機器後面部の裏側に配置され上記基本画面表示部より表示サイズの大きい第４の追加画面表示部とを備え、
上記第１及び第２の追加画面表示部を開いた状態で上記第１及び第２の追加画面表示部に情報を表示させ、上記第３及び第４の追加画面表示部を開いた状態で上記第３及び第４の追加画面表示部に情報を表示させることを特徴とする携帯型電子機器。
【請求項２】
第１及び第２の追加画面表示部に互いに関連する情報を表示させ、第３及び第４の追加画面表示部に互いに関連する情報を表示させることを特徴とする請求項１記載の携帯型電子機器。
【請求項３】
第１，第２，第３及び第４の追加画面表示部に、必要に応じて操作ボタンを表示させることを特徴とする請求項１記載の携帯型電子機器。
【請求項４】
第１及び第２の追加画面表示部に配置され上記第１及び第２の追加画面表示部の開閉状態を検出するための画面開閉センサと、第３及び第４の追加画面表示部に配置され上記第３及び第４の追加画面表示部の開閉状態を検出するための画面開閉センサとを備えたことを特徴とする請求項１記載の携帯型電子機器。
【請求項５】
第１，第２，第３及び第４の追加画面表示部に情報を表示するためのデータを格納しているメモリ部と、
上記メモリ部に格納されているデータを読み出して上記第１，第２，第３及び第４の追加画面表示部に情報として表示する画面表示制御部と、
画面開閉センサにより上記第１及び第２の、又は上記第３及び第４の追加画面表示部の開閉状態を検出する画面開閉検出部と、
上記画面開閉検出部の検出結果に基づき、上記画面表示制御部に、上記メモリ部に格納されているデータを読み出して、上記第１及び第２、又は第３及び第４の追加画面表示部に情報として表示するよう指示を与える中央制御部とを備えたことを特徴とする請求項４記載の携帯型電子機器。
【発明の詳細な説明】
【技術分野】
【０００１】
この発明は、小型軽量の携帯電話機、ＰＤＡ（Ｐｅｒｓｏｎａｌ  Ｄｉｇｉｔａｌ  Ａｓｓｉｓｔａｎｔｓ）、携帯型パソコン等の携帯型電子機器に関するものである。
【背景技術】
【０００２】
ユーザが見たい情報を簡単な操作で同時により多く表示できる従来の携帯型電子機器として、例えば特許文献１に示すものがある。この携帯型電子機器では、本体に設けた第３表示部の側部に開閉パネルを回動可能に取り付け、開閉パネルの表面に第１表示部を設け、裏面に第２表示部を設けた構成で、通常は開閉パネルを閉じて第１表示部に情報を表示させ、より多くの表示を行いたい場合には、開閉パネルを開いて第２表示部及び第３表示部に情報を表示させている。
【０００３】
【特許文献１】特開２０００−２７８３７３号公報（要約）
【発明の開示】
【発明が解決しようとする課題】
【０００４】
従来の携帯型電子機器は、携帯型電子機器の上面の一部の開閉パネルを開くことにより第２表示部及び第３表示部を見えるように構成しているので、第２表示部及び第３表示部は第１表示部と同じサイズであり、第２表示部及び第３表示部に多くの表示をする場合には表示内容を制限しなければならないという課題があった。
【０００５】
この発明は上記のような課題を解決するためになされたもので、第２表示部及び第３表示部のような追加画面表示部の表示領域を、第１表示部のような基本画面表示部の表示領域より拡大させ、追加画面表示部により多くの表示が行える携帯型電子機器を得ることを目的とする。
【課題を解決するための手段】
【０００６】
この発明に係る携帯型電子機器は、基本画面表示部や操作ボタンが配置されている機器前面部を有し開閉可能に構成した前面パネル部と、機器後面部を有する後面パネル部と、上記前面パネル部と上記後面パネル部の間に配置され開閉可能に構成した追加パネル部と、上記前面パネル部の機器前面部の裏側に配置され上記基本画面表示部より表示サイズの大きい第１の追加画面表示部と、上記追加パネル部の一方の面に配置され上記基本画面表示部より表示サイズの大きい第２の追加画面表示部と、上記追加パネル部の他方の面に配置され上記基本画面表示部より表示サイズの大きい第３の追加画面表示部と、上記後面パネル部の機器後面部の裏側に配置され上記基本画面表示部より表示サイズの大きい第４の追加画面表示部とを備え、上記第１及び第２の追加画面表示部を開いた状態で上記第１及び第２の追加画面表示部に情報を表示させ、上記上記第３及び第４の追加画面表示部を開いた状態で上記第３及び第４の追加画面表示部に情報を表示させるものである。
【発明の効果】
【０００７】
この発明は、前面パネル部と後面パネル部の間に配置され開閉可能に構成した追加パネル部と、前面パネル部の機器前面部の裏側に配置され基本画面表示部より表示サイズの大きい第１の追加画面表示部と、追加パネル部の一方の面に配置され基本画面表示部より表示サイズの大きい第２の追加画面表示部と、追加パネル部の他方の面に配置され基本画面表示部より表示サイズの大きい第３の追加画面表示部と、後面パネル部の機器後面部の裏側に配置され基本画面表示部より表示サイズの大きい第４の追加画面表示部とを備え、第１及び第２の追加画面表示部を開いた状態で第１及び第２の追加画面表示部に情報を表示させ、第３及び第４の追加画面表示部を開いた状態で第３及び第４の追加画面表示部に情報を表示させることにより、第１，第２，第３及び第４の追加画面表示部の表示領域を拡大することができ、第１，第２，第３及び第４の追加画面表示部により多様な表示を行うことができ、操作性を向上することができるという効果がある。
【発明を実施するための最良の形態】
【０００８】
以下、この発明の実施の一形態を説明する。
実施の形態１．
図１はこの発明の実施の形態１による携帯型電子機器の構成を示す図である。この携帯型電子機器は、基本画面表示部２０（図示せず）やテンキーやモード選択等の各種の操作ボタン２００（図示せず）が配置されている機器前面部１５を有し開閉可能に構成した前面パネル部１１と、機器後面部１６を有する後面パネル部１２と、前面パネル部１１と後面パネル部１２の間に配置され開閉可能に構成した追加パネル部１３，１４とを備えている。
【０００９】
また、この携帯型電子機器は、前面パネル部１１の機器前面部１５の裏側に配置され基本画面表示部２０より表示サイズの大きい追加画面表示部（Ａ）２１と、追加パネル部１３の一方の面に前面パネル部１１を閉じた状態で追加画面表示部（Ａ）２１と相対するよう配置され、基本画面表示部２０より表示サイズの大きい追加画面表示部（Ｂ）２２と、追加パネル部１３の他方の面に配置され基本画面表示部２０より表示サイズの大きい追加画面表示部（Ｃ）２３と、追加パネル部１４の一方の面に追加パネル部１３を閉じた状態で追加画面表示部（Ｃ）２３と相対するよう配置され、基本画面表示部２０より表示サイズの大きい追加画面表示部（Ｄ）２４と、追加パネル部１４の他方の面に配置され基本画面表示部２０より表示サイズの大きい追加画面表示部（Ｅ）２５と、後面パネル部１２の機器後面部１６の裏側に追加パネル部１４を閉じた状態で追加画面表示部（Ｅ）２５と相対するよう配置され、基本画面表示部２０より表示サイズの大きい追加画面表示部（Ｆ）２６とを備えている。ここで、前面パネル部１１、後面パネル部１２、追加パネル部１３，１４は、パイプ等により構成された背表紙部１７に蝶つがい等により固定されている。
【００１０】
さらに、この携帯型電子機器は、各追加画面表示部（Ａ）２１、追加画面表示部（Ｂ）２２、追加画面表示部（Ｃ）２３、追加画面表示部（Ｄ）２４、追加画面表示部（Ｅ）２５、追加画面表示部（Ｆ）２６には、各追加画面表示部２１〜２６と前面パネル部１１に内蔵されている電気部品と接続するための多重フレキシブル配線等により構成された配線接続部３１ａ，３１ｂ，３１ｃ，３１ｄ，３１ｅ，３１ｆと、各追加画面表示部２１〜２６が開かれたことを検出するための誘導コイル等により構成された画面開閉センサ３２ａ，３２ｂ，３２ｃ，３２ｄ，３２ｅ，３２ｆをそれぞれ有している。ここで、画面開閉センサ３２ａと画面開閉センサ３２ｂ、画面開閉センサ３２ｃと画面開閉センサ３２ｄ、画面開閉センサ３２ｅと画面開閉センサ３２ｆは、各追加画面表示部２１〜２６が閉じられているときに、それぞれ互いに密着するよう配置されている。なお、図１では、追加画面表示部（Ｃ）２３上の配線接続部３１ｃと画面開閉センサ３２ｃ、追加画面表示部（Ｄ）２４上の配線接続部３１ｄと画面開閉センサ３２ｄのみを表示している。
【００１１】
このように、この携帯型電子機器は、機器前面部１５に配置されている基本画面表示部２０や各種の操作ボタン２００により、既存の携帯型電子機器と同様に使用可能であると共に、前面パネル部１１全体や追加パネル部１３，１４全体を開閉することで、追加画面表示部２１〜２６の表示領域を拡大させ、追加画面表示部２１〜２６により多様な表示を行うことで操作性の向上を図るものである。なお、図１では、２枚の追加パネル部１３，１４が配置されているが、１枚の追加パネル部だけでも良く、２枚以上の追加パネル部をキングファイルのように配置することも可能である。
【００１２】
図２はこの発明の実施の形態１による携帯型電子機器の内部構成を示すブロック図である。この携帯型電子機器は、全体の制御を行う中央制御部１０１と、機器前面部１５に配置されている基本画面表示部２０や追加画面表示部２１〜２６に情報として表示するための各種のデータを格納するＲＡＭ等により構成されたメモリ部１０２と、中央制御部１０１の指示に基づきメモリ部１０２に格納されているデータを読み出して基本画面表示部２０や追加画面表示部２１〜２６に情報として表示する画面表示制御部１０３と、画面開閉センサ３２ａ，３２ｂ，３２ｃ，３２ｄ，３２ｅ，３２ｆからの信号によりどの追加画面表示部２１〜２６が開かれているかを検出する画面開閉検出部１０４と、機器前面部１５に配置されている各種の操作ボタン２００からの指示や追加画面表示部２１〜２６に表示されている各操作ボタンからの指示や手書きペンからの入力を中央制御部１０１に通知する入力部１０５と、手書きペンにより入力された文字を中央制御部１０１の指示に基づき文字認識する文字認識部１０６と、メールの送受信や電話の送受信を行う通信部１０７により構成されている。
【００１３】
図３は携帯型電子機器の前面パネル部１１の機器前面部１５の概観構成を示す図であり、図に示すように、基本画面表示部２０やテンキーやモード選択等の各種の操作ボタン２００が配置され、操作ボタン２００の中の１つとして追加画面表示部２１〜２６を使用するためのスケジュール設定ボタン２０１が配置されている。
【００１４】
次に動作について説明する。
追加画面表示部２１〜２６に表示するための各種データは、あらかじめメモリ部１０２に格納されている。中央制御部１０１はメモリ部１０２に格納されている各種データをどの追加画面表示部２１〜２６に情報として表示させるかを管理している。画面開閉検出部１０４は所定時間間隔で誘導コイル等により構成された画面開閉センサ３２ａ，３２ｃ，３２ｅに順番に微小パルス電流を供給し、追加画面表示部２１〜２６を閉じているときにそれぞれ相対する誘導コイル等により構成された画面開閉センサ３２ｂ，３２ｄ，３２ｆに誘導電流が発生することを検出することで、追加画面表示部２１〜２６が閉じられていることを検出する。
【００１５】
ユーザが機器前面部１５上のスケジュール設定ボタン２０１を押すことにより、ユーザからのスケジュール設定指示が入力部１０５を介して中央制御部１０１に通知される。そして、ユーザが前面パネル部１１をめくって追加画面表示部（Ａ）２１と追加画面表示部（Ｂ）２２を開くと、密着していた画面開閉センサ３２ａ、３２ｂが互いに離れることにより、画面開閉検出部１０４は画面開閉センサ３２ａに微小パルス電流を供給しても画面開閉センサ３２ｂに誘導電流が発生しないことを検出することで、追加画面表示部（Ａ）２１と追加画面表示部（Ｂ）２２が開かれたことを検出する。追加画面表示部（Ａ）２１と追加画面表示部（Ｂ）２２が開かれたことは中央制御部１０１に通知され、中央制御部１０１は、画面表示制御部１０３に、メモリ部１０２に格納されている追加画面表示部（Ａ）２１に表示させるスケジュール設定に係るデータを読み出して追加画面表示部（Ａ）２１に情報として表示させるよう指示を与える。画面表示制御部１０３は、中央制御部１０１の指示に基づきメモリ部１０２に格納されているデータを読み出して追加画面表示部（Ａ）２１に情報として表示する。
【００１６】
図４は追加画面表示部（Ａ）２１に表示された画面の例を示す図であり、ここでは、ある年月のカレンダー２１０と、表示切換ボタン２１１と、カーソル移動ボタン２１２と、決定ボタン２１３等が表示される。ユーザが表示切換ボタン２１１をタップすると、入力部１０５を介して中央制御部１０１に通知され、中央制御部１０１は、画面表示制御部１０３に、メモリ部１０２に格納されている別の月のカレンダーのデータを読み出して、カレンダー２１０の表示を別の月のカレンダーに切り換えるよう指示を与える。また、ユーザがカーソル移動ボタン２１２をタップすると、入力部１０５を介して中央制御部１０１に通知され、中央制御部１０１は、画面表示制御部１０３に、カレンダー２１０の日付に表示されているカーソルを移動させるよう指示を与える。ユーザが決定ボタン２１３をタップすると、入力部１０５を介して中央制御部１０１に通知され、中央制御部１０１は、画面表示制御部１０３に、メモリ部１０２より指定された日付のスケジュールのデータを読み出して、追加画面表示部（Ｂ）２２に表示させるよう指示を与える。
【００１７】
図５は追加画面表示部（Ｂ）２２に表示された画面の例を示す図であり、ここでは、ある年月日のスケジュール２２０が表示される。ユーザが手書きペンにより文字を入力すると、入力部１０５を介して中央制御部１０１に通知され、中央制御部１０１は、文字認識部１０６に入力された文字を認識するよう指示を与えて、画面表示制御部１０３に文字認識部１０６により認識された文字を追加画面表示部（Ｂ）２２に表示するよう指示を与える。このようにして、スケジュール２２０にスケジュールが記入され、中央制御部１０１はスケジュール２２０に記入されたスケジュールをメモリ部１０２に格納する。また、中央制御部１０１は図４のカレンダー２１０のスケジュールが記入された日付のデータを格納しているメモリ部１０２の該当部分に、スケジュールが記入されたことを示すアイコンを格納したり、表示する日付の色や背景を変更するデータを格納する。
【００１８】
また、図４のカレンダー２１０を表示した際に、ユーザがスケジュールが記入された日付に添付されたアイコンや表示の色を確認し、ユーザがカーソル移動ボタン２１２と決定ボタン２１３により、その日付を選択すると、中央制御部１０１は、画面表示制御部１０３に、メモリ部１０２に格納されている指定された日付のスケジュールのデータを読み出して、追加画面表示部（Ｂ）２２に表示するよう指示を与えることで、ユーザはその日のスケジュールを確認することができる。
【００１９】
ユーザが、追加画面表示部（Ｂ）２２に記入したスケジュールに関連して、相手先に連絡する必要性がある場合には、追加パネル部１３をめくることで追加画面表示部（Ａ）２１と追加画面表示部（Ｂ）２２を閉じて、追加画面表示部（Ｃ）２３と追加画面表示部（Ｄ）２４を開くと、画面開閉検出部１０４は、画面開閉センサ３２ａに供給された微小パルス電流により画面開閉センサ３２ｂに誘導電流が発生することを検出して追加画面表示部（Ａ）２１と追加画面表示部（Ｂ）２２が閉じられたことを検出すると共に、今まで画面開閉センサ３２ｃに供給された微小パルス電流により画面開閉センサ３２ｄに発生していた誘導電流が発生しなくなることを検出して追加画面表示部（Ｃ）２３と追加画面表示部（Ｄ）が開かれたことを検出する。
【００２０】
追加画面表示部（Ａ）２１と追加画面表示部（Ｂ）２２が閉じられ、追加画面表示部（Ｃ）２３と追加画面表示部（Ｄ）が開かれたことは、中央制御部１０１に通知され、中央制御部１０１は、画面表示制御部１０３に、追加画面表示部（Ａ）２１と追加画面表示部（Ｂ）２２が閉じられたことで追加画面表示部（Ａ）２１と追加画面表示部（Ｂ）２２の表示を停止するよう指示を与えると共に、追加画面表示部（Ｃ）２３と追加画面表示部（Ｄ）が開かれたことで、メモリ部１０２に格納されている追加画面表示部（Ｃ）２３と追加画面表示部（Ｄ）２４に表示させるデータを読み出して表示するよう指示を与える。
【００２１】
図６は追加画面表示部（Ｃ）２３に表示された画面の例を示す図であり、ここでは、追加画面表示部（Ｂ）２２に記入されたスケジュール２３０と相手先のメールアドレス又は電話番号の宛先一覧２３１と、相手先への通知方法としてのメール選択ボタン２３２と、電話選択ボタン２３３と、カーソル移動ボタン２３４と、決定ボタン２３５と、コピー、貼り付け等の編集ボタン２３６等が表示される。
【００２２】
図７は追加画面表示部（Ｄ）２４に表示されたメール作成画面の例を示す図であり、ここでは、題名欄、宛先欄、本文欄等のメール作成領域２４０と、メール送信ボタン２４１と、メール受信ボタン２４２等のボタンが表示される。
【００２３】
ユーザが、図６の追加画面表示部（Ｃ）２３に表示された宛先一覧２３１から、カーソル移動ボタン２３４と決定ボタン２３５によりメールアドレスを決定すると、中央制御部１０１は、画面表示制御部１０３に、決定されたメールアドレスを図７の追加画面表示部（Ｄ）２４に表示されたメール作成領域２４０の宛先欄に表示するよう指示を与える。ユーザが、追加画面表示部（Ｃ）２３に表示されたスケジュール２３０を参照して、図７の追加画面表示部（Ｄ）２４に表示されたメール作成領域２４０の題名欄や本文欄に、手書きペンにより文字を入力すると、入力部１０５を介して中央制御部１０１に通知され、中央制御部１０１は、文字認識部１０６に入力された文字を認識するよう指示を与えて、画面表示制御部１０３に文字認識部１０６により認識された文字を追加画面表示部（Ｂ）２２に表示するよう指示を与える。このようにして、メール作成領域２４０にメールが記入され、中央制御部１０１はメール作成領域２４０に記入されたメールをメモリ部１０２に格納する。
【００２４】
このとき、メール作成領域２４０の本文欄に記入する際に、ユーザが追加画面表示部（Ｃ）２３に表示されたスケジュール２３０の内容を、カーソル移動ボタン２３４、決定ボタン２３５に選択し、編集ボタン２３６をタップすると、中央制御部１０１は、画面表示制御部１０３に、選択された内容をメール作成領域２４０の本文欄にコピーして表示するよう指示を与える。
【００２５】
ユーザが図７の追加画面表示部（Ｄ）２４に表示されたメール送信ボタン２４１をタップすると、中央制御部１０１はメモリ部１０２に格納されているメール作成領域２４０に入力されたメールを読み出して、通信部１０７にメールアドレスで指定された相手先にメールを送信するよう指示を与える。通信部１０７が相手先から返信のメールを受信した場合には、中央制御部１０１はメモリ部１０２に返信のメールを格納する。ユーザが図７の追加画面表示部（Ｄ）２４に表示されたメール受信ボタン２４２をタップすると、中央制御部１０１は、画面表示制御部１０３にメモリ部１０２に格納されている返信のメールを、追加画面表示部（Ｄ）２４のメール作成領域２４０に表示するよう指示を与えることで、ユーザは返信のメールの内容を確認することができる。
【００２６】
図６の宛先一覧２３１では相手先のメールアドレスを表示し、図７ではメール作成画面を表示しているが、ユーザが図６の電話選択ボタン２３３をタップすると、中央制御部１０１は、画面表示制御部１０３に、メモリ部１０２に格納されている電話番号を読み出して追加画面表示部（Ｃ）２３の宛先一覧２３１に表示するよう指示を与えると共に、メモリ部１０２に格納されている電話発信画面を追加画面表示部（Ｄ）２４に表示するよう指示を与えることで、ユーザは相手先の電話番号を選択し、追加画面表示部（Ｃ）２３に表示されたスケジュール２３０を参照しながら通話することができる。
【００２７】
また、ユーザがメール選択ボタン２３２をタップすると、中央制御部１０１は、画面表示制御部１０３に、メモリ部１０２に格納されているメールアドレスを読み出して追加画面表示部（Ｃ）２３の宛先一覧２３１に表示するよう指示を与えると共に、メモリ部１０２に格納されているメール作成画面を追加画面表示部（Ｄ）２４に表示するよう指示を与える。このように、ユーザがメール選択ボタン２３２又は電話選択ボタン２３３をタップすることにより、追加画面表示部（Ｃ）２３と追加画面表示部（Ｄ）２４の表示内容を切り換えることが可能である。
【００２８】
ユーザが、別のスケジュールを設定したり、設定したスケジュールの変更を行う場合には、追加パネル部１３を元の方向にめくることで追加画面表示部（Ｃ）２３と追加画面表示部（Ｄ）２４を閉じて、追加画面表示部（Ａ）２１と追加画面表示部（Ｂ）２２を開いて上記と同様の処理を行えば良い。このように、ユーザは種々のスケジュールの設定作業を開いた追加画面表示部（Ａ）２１と追加画面表示部（Ｂ）２２により効率的に行えると共に、設定したスケジュールについての連絡作業を、開いた追加画面表示部（Ｃ）２３と追加画面表示部（Ｄ）２４により効率的に行うことができる。
【００２９】
ユーザが、設定した全てのスケジュールを確認する場合には、追加パネル部１４をめくることで追加画面表示部（Ｃ）２３と追加画面表示部（Ｄ）２４を閉じて、追加画面表示部（Ｅ）２５と追加画面表示部（Ｆ）２６を開くと、画面開閉検出部１０４は、画面開閉センサ３２ｃに供給された微小パルス電流により画面開閉センサ３２ｄに誘導電流が発生することを検出して追加画面表示部（Ｃ）２３と追加画面表示部（Ｄ）２４が閉じられたことを検出すると共に、今まで画面開閉センサ３２ｅに供給された微小パルス電流により画面開閉センサ３２ｆに発生していた誘導電流が発生しなくなることを検出して追加画面表示部（Ｅ）２５と追加画面表示部（Ｆ）２６が開かれたことを検出する。
【００３０】
追加画面表示部（Ｃ）２３と追加画面表示部（Ｄ）２４が閉じられて、追加画面表示部（Ｅ）２５と追加画面表示部（Ｆ）２６が開かれたことは、中央制御部１０１に通知される。中央制御部１０１は、画面表示制御部１０３に、追加画面表示部（Ｃ）２３と追加画面表示部（Ｄ）２４が閉じられたことで、追加画面表示部（Ｃ）２３と追加画面表示部（Ｄ）２４の表示を停止するよう指示を与えると共に、追加画面表示部（Ｅ）２５と追加画面表示部（Ｆ）２６が開かれたことで、メモリ部１０２に格納されている追加画面表示部（Ｅ）２５に表示させるデータを読み出して表示するよう指示を与える。
【００３１】
図８は追加画面表示部（Ｅ）２５に表示された画面の例を示す図であり、ここでは、設定されている全てのスケジュールについてのスケジュール一覧２５０と、カーソル移動ボタン２５１と、決定ボタン２５２等が表示される。ユーザは追加画面表示部（Ｅ）２５に表示されたスケジュール一覧２５０により設定されている各スケジュールの内容を全体的に確認することができる。確認の結果、設定されているスケジュールを変更する必要がある場合には、ユーザがスケジュール一覧２５０に表示されている変更が必要な１つのスケジュールを、カーソル移動ボタン２５１と決定ボタン２５２により選択すると、中央制御部１０１は、画面表示制御部１０３に、メモリ部１０２に格納されている選択されたスケジュールのデータを読み出して追加画面表示部（Ｆ）２６に表示するよう指示を与える。
【００３２】
図９は追加画面表示部（Ｆ）２６に表示された選択されたスケジュールに関する画面の例を示す図であり、ここでは、選択されたスケジュールに関する図５に示す追加画面表示部（Ｂ）２２に表示された画面２６０と、選択されたスケジュールに関する図７に示す追加画面表示部（Ｄ）２４に表示された画面２６１と、カーソル移動ボタン２６２と、決定ボタン２６３等が表示される。
【００３３】
ユーザがカーソル移動ボタン２６２と決定ボタン２６３により、画面２６０を選択すると、中央制御部１０１は、画面表示制御部１０３に、メモリ部１０２に格納されている図５に示す追加画面表示部（Ｂ）２２に表示された画面を追加画面表示部（Ｆ）２６に表示するよう指示を与える。また、ユーザがカーソル移動ボタン２６２と決定ボタン２６３により、画面２６１を選択すると、中央制御部１０１は、画面表示制御部１０３に、メモリ部１０２に格納されている図７に示す追加画面表示部（Ｄ）２４に表示された画面を追加画面表示部（Ｆ）２６に表示するよう指示を与える。
【００３４】
ユーザは、図５に示す追加画面表示部（Ｂ）２２に表示された画面又は図７に示す追加画面表示部（Ｄ）２４に表示された画面により、スケジュールの設定作業や関連するメールの作成作業を同様に行うことができる。このように、設定した全スケジュールの設定内容を確認することで、各スケジュールの変更や相手先への連絡を効率良く行うことができる。
【００３５】
この実施の形態１では、前面パネル部１１の機器前面部１５上の操作ボタン２００の中の１つとして、追加画面表示部２１〜２６を使用するためのスケジュール設定ボタン２０１を配置し、ユーザのスケジュール設定に係る作業を効率良く行っているが、ユーザのスケジュール設定に係る作業以外の携帯型電子機器を使用して行う種々の作業についても、表示領域を拡大させた追加画面表示部２１〜２６を使用して同様に効率良く行うことができる。
【００３６】
以上のように、この実施の形態１によれば、追加画面表示部２１〜２６を基本画面表示部２０より表示サイズを大きくし、追加画面表示部２１，２２を開いた状態で追加画面表示部２１，２２に情報を表示させ、追加画面表示部２３，２４を開いた状態で追加画面表示部２３，２４に情報を表示させ、追加画面表示部２５，２６を開いた状態で追加画面表示部２５，２６に情報を表示させることにより、追加画面表示部２１〜２６の表示領域を拡大することができ、追加画面表示部２１〜２６により多様な表示を行うことができ、操作性を向上することができるという効果が得られる。
【００３７】
また、この実施の形態１によれば、各々開いている追加画面表示部（Ａ）２１と追加画面表示部（Ｂ）２２、追加画面表示部（Ｃ）２３と追加画面表示部（Ｄ）２４、追加画面表示部（Ｅ）２５と追加画面表示部（Ｆ）２６に、関連する表示を行うことにより、ユーザは開いている２つの追加画面表示部に表示された画面を使用して、携帯型電子機器で行う種々の作業の効率化を図ることができるという効果が得られる。
【００３８】
さらに、この実施の形態１によれば、追加画面表示部２１〜２６に、必要に応じて操作ボタンを表示させることにより、操作性を向上することができるという効果が得られる。
【００３９】
さらに、この実施の形態１によれば、追加画面表示部２１〜２６の開閉検知を誘導コイル等により構成された画面開閉センサ３２ａ〜３２ｆにより行っているので、自動的にどの追加画面表示部２１〜２６が開いているかを検出でき、各追加画面表示部２１〜２６の表示制御を行う際にユーザからの指示が不要になるという効果が得られる。
【図面の簡単な説明】
【００４０】
【図１】この発明の実施の形態１による携帯型電子機器の構成を示す図である。
【図２】この発明の実施の形態１による携帯型電子機器の内部構成を示すブロック図である。
【図３】この発明の実施の形態１による携帯型電子機器の前面パネル部の機器前面部の概観構成を示す図である。
【図４】この発明の実施の形態１による携帯型電子機器の追加画面表示部（Ａ）に表示された画面の例を示す図である。
【図５】この発明の実施の形態１による携帯型電子機器装置の追加画面表示部（Ｂ）に表示された画面の例を示す図である。
【図６】この発明の実施の形態１による携帯型電子機器装置の追加画面表示部（Ｃ）に表示された画面の例を示す図である。
【図７】この発明の実施の形態１による携帯型電子機器装置の追加画面表示部（Ｄ）に表示されたメール作成画面の例を示す図である。
【図８】この発明の実施の形態１による携帯型電子機器装置の追加画面表示部（Ｅ）に表示された画面の例を示す図である。
【図９】この発明の実施の形態１による携帯型電子機器装置の追加画面表示部（Ｆ）に表示された選択されたスケジュールに関する画面の例を示す図である。
【符号の説明】
【００４１】
１１  前面パネル部、１２  後面パネル部、１３  追加パネル部、１４  追加パネル部、１５  機器前面部、１６  機器後面部、１７  背表紙部、２０  基本画面表示部、２１  追加画面表示部（Ａ）、２２  追加画面表示部（Ｂ）、２３  追加画面表示部（Ｃ）、２４  追加画面表示部（Ｄ）、２５  追加画面表示部（Ｅ）、２６  追加画面表示部（Ｆ）、３１ａ，３１ｂ，３１ｃ，３１ｄ，３１ｅ，３１ｆ  配線接続部、３２ａ，３２ｂ，３２ｃ，３２ｄ，３２ｅ，３２ｆ  画面開閉センサ、１０１  中央制御部、１０２  メモリ部、１０３  画面表示制御部、１０４  画面開閉検出部、１０５  入力部、１０６  文字認識部、１０７  通信部、２００  操作ボタン、２０１  スケジュール設定ボタン、２１０  カレンダー、２１１  表示切換ボタン、２１２  カーソル移動ボタン、２１３  決定ボタン、２２０  スケジュール、２３０  スケジュール、２３１  宛先一覧、２３２  メール選択ボタン、２３３  電話選択ボタン、２３４  カーソル移動ボタン、２３５  決定ボタン、２３６  編集ボタン、２４０  メール作成領域、２４１  メール送信ボタン、２４２  メール受信ボタン、２５０  スケジュール一覧、２５１  カーソル移動ボタン、２５２  決定ボタン、２６０  追加画面表示部（Ｂ）に表示された画面、２６１  追加画面表示部（Ｄ）に表示された画面、２６２  カーソル移動ボタン、２６３  決定ボタン。
【図１】
2005115554.tif 000003
【図２】
2005115554.tif 000004
【図３】
2005115554.tif 000005
【図４】
2005115554.tif 000006
【図５】
2005115554.tif 000007
【図６】
2005115554.tif 000008
【図７】
2005115554.tif 000009
【図８】
2005115554.tif 000010
【図９】
2005115554.tif 000011